(57)【要約】特に年老いた人や手に関節炎を患っている人が直面する難事の一つは、錠に鍵の位置を定めることと、その上そこに一度挿入された鍵を回転させることであり、このような人々は、事務所や家具に普通に取り付けられた錠を操作する難事も抱えているため、これらの問題点を和らげることを目的とし、ａ）錠への鍵の挿入を容易にする手段と、ｂ）挿入された時に上記鍵を回転させる手段と、を備えた構成を特徴とする。
2005517845.tif 000002
【特許請求の範囲】
【請求項１】
ａ）錠への鍵の挿入を容易にする手段と、
ｂ）挿入された時に前記鍵を回転させる手段と、
を備えたことを特徴とする扉又は引出し用解錠装置。
【請求項２】
前記錠への鍵の挿入を容易にする前記手段は、回転誘導部を備えたことを特徴とする請求項１記載の装置。
【請求項３】
前記回転誘導部は、鍵の胴部を収容するため、及び、錠へ前記鍵が入るのを容易にするためのスロットを備えたことを特徴とする請求項２記載の装置。
【請求項４】
前記回転誘導部は、前記スロットへ鍵の通過を容易にする凹面穴を備えたことを特徴とする請求項３記載の装置。
【請求項５】
前記回転誘導部を所定の位置に付勢する手段を備えたことを特徴とする請求項２、３又は４記載の装置。
【請求項６】
前記手段は、ばねを備えたことを特徴とする請求項５記載の装置。
【請求項７】
前記装置がシリンダ掛け金を経て扉に固定されることができるように、前記シリンダ掛け金の本体を通過させることは可能だがその頭部を通過させることは不可能な開口を有する支持板を更に備えたことを特徴とする請求項６記載の装置。
【請求項８】
前記支持板に取り外し可能に据え付けられたカバーを更に備え、前記回転誘導部は前記支持板と前記カバーの間に回転可能に据え付けられたことを特徴とする請求項７記載の装置。
【請求項９】
前記回転誘導部を回転させるための転置可能な取っ手を備えたことを特徴とする請求項２〜８のいずれかに記載の装置。
【請求項１０】
前記取っ手は、鍵が錠に挿入された時に鍵の頭部の少なくとも一部を収容するくぼみを備えたことを特徴とする請求項８記載の装置。
【請求項１１】
前記取っ手は、一つは前記回転誘導部の片側に、もう一つは前記回転誘導部の反対側に延びている２つの位置で前記回転誘導部に取り付けられることができる長尺部材を備えたことを特徴とする請求項８記載の装置。
【請求項１２】
前記取っ手は握り部を備えたことを特徴とする請求項８又は９記載の装置。
【請求項１３】
前記握り部は、それをつかむのを容易にするため曲がりくねった外面を備えたことを特徴とする請求項１１記載の装置。
【請求項１４】
前記取っ手は相互に作用する回転輪の列を経て回転誘導部に連結されることを特徴とする請求項９記載の装置。
【請求項１５】
前記スロットが所定の位置のときに前記回転誘導部を指し示すために前記回転誘導部に作用する（又は反作用する）ばね荷重止め金を備えたことを特徴とする請求項３又は請求項３に直接的又は間接的に従属している請求項に記載の装置。
【請求項１６】
回転誘導部と、該回転誘導部に軸回転可能に取り付けられたフレームとを備え、該フレームは、その使用時に、垂れ下がった位置と、鍵と協働する持ち上げられた動作位置との間を軸回転可能であることにより、前記フレームが回転した時にそれと共に前記回転誘導部と前記鍵が回転するようにしたことを特徴とする請求項１記載の装置。
【請求項１７】
軸受筒と、前記軸受筒に回転可能に据え付け可能な円筒部を有する取っ手とを備えたことを特徴とする請求項１記載の装置。
【請求項１８】
前記円筒部及び前記取っ手は一体的に形成されたことを特徴とする請求項１７記載の装置。
【請求項１９】
前記円筒部は、その円周に広がる溝を備え、該溝は、使用する際に前記支持板の端を収容して前記取っ手が外れるのを禁止することを特徴とする請求項１７又は１８記載の装置。
【請求項２０】
前記溝内に突起が設けられ、該突起は、使用する際に、前記支持板と協働して前記取っ手の回転運動を制限することを特徴とする請求項１９記載の装置。
【請求項２１】
前記鍵を回転させる前記手段は取っ手を備え、該取っ手は、該取っ手の回転が前記回転誘導部を回転させるように前記回転誘導部に動作可能に結合され、前記回転誘導部に対して向かう方向と離れる方向に移動可能であることを特徴とする請求項２記載の装置。
【請求項２２】
前記回転誘導部は突出部を備え、該突出部は、前記回転誘導部から外側へ延び、前記取っ手を支え、使用する際に鍵の挿入を容易にする先細穴を規定することを特徴とする請求項２１記載の装置。 
【請求項２３】
支持板を更に備えたことを特徴とする請求項２１又は２２記載の装置。
【請求項２４】
前記支持板は延長部を備え、該延長部は、前記支持板の後方に延び、また、彫り込み錠用の鍵の通過を可能にする実質的に一定な鍵穴断面の通路を備えていることを特徴とする請求項２３記載の装置。
【請求項２４】
保持カバーを更に備え、前記取っ手と前記保持カバーのうちの一方が舌部を備え、他方が溝を備えており、前記溝への前記舌部の整列が前記通路への前記先細穴の整列を確実にすることで鍵の挿入を容易にしたことを特徴とする請求項２４記載の装置。
【請求項２５】
支持板と、前記支持板から離れる方向へ取っ手を促すばねとを備えたことを特徴とする請求項２１記載の装置。
【請求項２６】
保持カバーを更に備え、前記取っ手は、前記保持カバーを通って突出し、かつそれに対して滑らせることができるハブを備え、前記装置は、前記ハブに据え付けられて前記ハブと前記保持カバーの分離を禁止するばね板を備えたことを特徴とする請求項２５記載の装置。
【請求項２７】
前記ばね板と前記保持カバーのうちの一方は直立部を有し、他方は少なくとも前記取っ手が前記保持カバー内へと促されたときに前記直立部に係合する面を備え、該面が刻み目を有することで、該刻み目への前記直立部の係合が前記取っ手を指し示すようにしたことを特徴とする請求項２６記載の装置。
【請求項２８】
錠から鍵が外れるのを禁止する手段を備えたことを特徴とする請求項２１〜２７のいずれかに記載の装置。
【請求項２９】
前記手段は、鍵が自由に挿入又は引き抜き可能な非動作位置から、前記鍵の外れが禁止される動作位置へと移動可能な腕部と、該腕部をその動作位置と非動作位置との間で移動させる手段と、を備えたことを特徴とする請求項２８記載の装置。 
【請求項３０】
動作的に関連したいずれかの前記請求項に記載された装置を有する錠が取り付けられた扉。
【請求項３１】
動作的に関連したいずれかの前記請求項に記載された装置を有する錠が取り付けられた引出し。
【発明の詳細な説明】
【技術分野】
【０００１】
本発明は、扉又は引出し用解錠装置、及び、動作的に関連した上記装置を有する錠を備えた扉又は引出しに関する。
【背景技術】
【０００２】
大抵の外の扉は、シリンダ錠、又は、シリンダ錠と彫り込み錠の組合せによって安全になっている。
特に年老いた人や手に関節炎を患っている人が直面する難事の一つは、錠に鍵の位置を定めることと、そこに鍵が一旦挿入されたら次にその鍵を回転させることである。このような人々は、事務所や家具に普通に取り付けられた錠を操作する難事も抱えている。
【発明の開示】
【０００３】
本発明は、これらの問題点を和らげることを目的とする。
本発明によれば、
ａ）錠への鍵の挿入を容易にする手段と、
ｂ）挿入された時に上記鍵を回転させる手段と、
を備えた扉又は引出し用解錠装置が提供される。
【０００４】
上記錠への鍵の挿入を容易にする上記手段は、回転誘導部を備えることが好ましい。
有利には、上記回転誘導部は、鍵の胴部を収容するため、及び、錠へ上記鍵が入るのを容易にするためのスロットを備える。
【０００５】
上記回転誘導部は、上記スロットへ鍵の通過を容易にする凹面穴を備えることが好ましい。
有利には、上記回転誘導部を所定の位置へと付勢する手段を備える。
上記手段は、ばねを備えることが好ましい。
【０００６】
有利には、上記装置がシリンダ掛け金（cylinder latch）を経て扉に固定されることができるように、上記シリンダ掛け金の本体を通過させることはできるがその頭部を通過させることはできない開口を有する支持板を備える。
【０００７】
上記装置は、上記支持板に取り外し可能に据え付けられたカバーを備え、上記回転誘導部は上記支持板と上記カバーの間に回転可能に据え付けられることが好ましい。
有利には、上記装置は、上記回転誘導部を回転させるための転置可能な取っ手を備える。
【０００８】
上記取っ手は、鍵が錠に挿入された時に鍵の頭部の少なくとも一部を収容するくぼみを備えることが好ましい。
一つの形態では、上記取っ手は、一つは上記回転誘導部の片側に、もう一つは上記回転誘導部の反対側に延びている２つの位置で上記回転誘導部に取り付けられることができる長尺部材を備える。
【０００９】
別の形態では、上記取っ手は握り部を備える。
握り部は、それをつかむのを用意にするため曲がりくねった外面を備えることが好ましい。
【００１０】
別の形態では、上記取っ手は相互に作用する回転輪の列を経て回転誘導部に連結される。
望むなら、上記スロットが所定の位置のとき、上記回転誘導部を指し示すために上記回転誘導部に作用する（又は反作用する）ばね荷重止め金を備える。
【００１１】
さらに別の形態では、回転誘導部と、この回転誘導部に軸回転可能に取り付けられたフレームとを備え、このフレームは、その使用時に、垂れ下がった位置と、鍵と協働する持ち上げられた動作位置との間を軸回転可能であることにより、上記フレームが回転した時にそれと共に上記回転誘導部と上記鍵が回転するようにする。
【００１２】
さらに別の形態では、軸受筒と、上記軸受筒に回転可能に据え付け可能な円筒部を持つ取っ手とを備える。
上記円筒部及び上記取っ手は一体的に形成されることが好ましい。
【００１３】
有利には、上記円筒部は、その円周に広がる溝を備え、この溝は、使用する際に上記支持板の端を収容して、上記取っ手が外れるのを禁止する。
好ましくは、上記溝内に突起が設けられ、この突起は、使用時に、上記支持板と協働して上記取っ手の回転運動を制限する。
【００１４】
さらに別の形態では、上記鍵を回転させる上記手段は取っ手を備え、この取っ手は、この取っ手の回転が上記回転誘導部を回転させるように上記回転誘導部に動作可能に結合され、上記回転誘導部に対して向かう方向と離れる方向に移動可能である。
【００１５】
好ましくは、上記回転誘導部は突出部を備え、この突出部は、上記回転誘導部から外側へ延び、上記取っ手を支え、使用する際に鍵の挿入を容易にする先細穴を規定する。
有利には、上記装置は支持板を備える。
【００１６】
好ましくは、上記支持板は延長部を備え、この延長部は、上記支持板の後方に延び、また、彫り込み錠用の鍵の通過を可能にする実質的に一定な鍵穴断面の通路を備えている。
有利には、保持カバーを更に備え、上記取っ手と上記保持カバーのうちの一方が舌部を備え、他方が溝を備えており、上記溝への上記舌部の整列が上記通路への上前記先細穴の整列を確実にすることで鍵の挿入を容易にする。
【００１７】
本発明はまた、支持板と、この支持板から離れる方向に取っ手を促すばねとを備える、本発明に係る装置を提供する。
好ましくは、保持カバーを更に備え、上記取っ手は、上記保持カバーを通って突出す、かつそれに対して滑らせることができるハブを備え、上記装置は、上記ハブに据え付けられて上記ハブと上記保持カバーの分離を禁止するばね板を備える。
【００１８】
有利には、上記ばね板と上記保持カバーのうちの一方は直立部を有し、他方は少なくとも上記取っ手が上記保持カバー内へと促されたときに上記直立部に係合する面を備え、この面が刻み目を有することで、この刻み目への上記直立部の係合が上記取っ手を指し示すようにする。
【００１９】
錠から鍵が外れるのを禁止する手段を備えることが好ましい。
一つの形態では、上記手段は、鍵が自由に挿入又は引き抜き可能な非動作位置から、鍵の外れが禁止される動作位置へと移動可能な腕部と、この腕部をその動作位置と非動作位置との間で移動させる手段と、を備える。
【００２０】
本発明はまた、動作的に関連した本発明の装置を有する錠が取り付けられた扉を提供する。
本発明はまた、動作的に関連した本発明の装置を有する錠が取り付けられた引出しを提供する。
【００２１】
本発明をより良く理解するために、その一例について、添付の図面を参照しつつ説明する。
【発明を実施するための最良の形態】
【００２２】
図１〜３を参照すると、参照符号１によって全体の示された装置が図示されている。この装置１はカバー３が据え付けられた支持板２を備える。カバー３は２つのねじ４及び５により支持板２に固定される（図４）。
【００２３】
カバー３と支持板２の間の隙間に回転誘導部６を収容する。
図８、９、及び１０からわかるように、回転誘導部６には、鍵１０の胴部９を収容するためのスロット８を備えた凹面穴７がある。
【００２４】
この回転誘導部６はまた、それによってリバーシブルハンドルを据え付け可能であるボルト１３及び１４をそれぞれ収容するねじ穴１１及び１２を備えている。
コイルスプリング２５は、スロット８が標準的に十分に垂直な初期位置に回転誘導部を付勢するように備えられている。
【００２５】
代表的には、図３に示されたシリンダ掛け金１６のようなシリンダ掛け金は、正面板１８及び舌部１９を有する主要部１７を備える。正面板１８は、扉のフレーム２０にもたれかかっている環状のリングで支えられ、主要部は、背面板２３と主要部１７の両者間で作用する２つのボルト２１及び２２が締めている位置で保持されている。
【００２６】
図３に示された配置では、環状のリングは、スロット８がシリンダ掛け金１６の鍵収容スロットに整列されるまで回転された支持板２によって元に戻らされる。この位置は典型的には垂直である。上記支持板は十分にボルト２１及び２２を締め付けることによって位置が保持されている。
そこで、この装置１は使用する準備ができた。特に、鍵１０は回転誘導部６の凹面穴７及びスロット８によって、シリンダ掛け金１６の鍵収容スロットまで誘導される。
【００２７】
鍵１０が十分に挿入されたとき、この鍵１０の頭部２３はリバーシブルハンドル１５のくぼみ２４に位置する。リバーシブルハンドル１５が押下げられるとき、回転誘導部６は、カバー３及び支持板２に対し回転する。鍵１０もまた、上記鍵１０の頭部２３に対し噛み合っているリバーシブルハンドル１５にある穴の側面の結果として回転する。
【００２８】
扉が開かれた後に、後述するように、コイルスプリングによって、リバーシブルハンドル１５は最初の（水平な）位置に、スロット８は最初の（垂直な）位置に戻らされる。これに関連して、シリンダ掛け金の鍵収容スロットもまた、舌部１９に作用する内部掛け金機構（示されていない）の働きによって最初の（垂直な）位置に戻らされると考えられる。
【００２９】
上述したように、回転誘導部６は、コイルスプリング２５によって最初の位置に付勢されている。特に、図１４で示されたように、ほぼ１３０度の角度に定めた金属ベルト２６は、一部がカバー３の内部まで達する、コイルスプリング２５の片端が取り付けられた杭を形成する、ボルト２７によって、カバー３に固定されている。コイルスプリングのもう一端は、回転誘導部６までねじ込まれたボルト２８で固定されている。使用時には、コイルスプリング２５の作用により、ボルト２８がベルト２６の自由端２９に係合するまで回転誘導部６が回転させられる。このときの位置では、スロット８は垂直で、リバーシブルハンドルは水平である。リバーシブルハンドル１５が回転させられたとき、回転誘導部６は、ボルト２８がベルト２６の他端に係合するまで回転する。
【００３０】
望むなら、リバーシブルハンドル１５は、（図１で見られる）左側へ突出するように、移され取り替えられることができる。同時に、ベルト２６は取り外されてその位置が逆になることで、図示されたようにカバー３の回りに反時計回りよりむしろ時計回りに延びるようになされる。コイルスプリング２５はまた、回転誘導部６の反対側に動かされる。
【００３１】
図１５〜１７を参照すると、参照符号１０１によって全体の示された本発明の第２の実施形態に係る装置が示されている。図１５〜１７で示された装置は、図１〜１４で示された装置と概して同様で、同様の機能を有する部分は同じ参照数字だが１００番台の数字で示されている。
【００３２】
主な違いは、リバーシブルハンドル１５が、つかむのを容易にした、曲がりくねった外面を持つ握り部１１５に取って代わったことである。握り部１１５の直径は、支持板１０２の直径とほぼ同じである。この形態はリバーシブルハンドル１５と同じほどのてこの作用を提供するものではないが、より狭い場所で使うことができ、野蛮に傷つけられても影響されにくい。加えて、握り部１５は望むなら何回でも回転させることができる。これは、装置１０１が、或る型のデッドボルト掛け金（deadbolt latches）、すなわち、ボルトを前進させて、例えばバールや他の家宅侵入道具によって掛け金が錠の中に押し戻されるのを禁止する位置へ当接部を移動させるのに完全に２回転を必要とするような掛け金と共に使われる場合、特に有用である。この配置では、スロット１０８がシリンダ掛け金の鍵収容スロットに正確に整列される位置まで回転誘導部１０６を自動的に付勢する機構が存在しない、と認識されるだろう。しかしながら、所望の整列であると感じられるように、適当に位置決めされたくぼみ１３１を回転誘導部１０６の背後に入れるよう配置された、ばね荷重止め金１３０を設けてもよい。ばね荷重止め金１３０の作用は、握り部１１５が回転するのを阻止するのではなく、単に握り部１１５の位置を便利に指し示すことを可能にしている、と理解されるだろう。
【００３３】
次に、図１８〜２０を参照すると、本発明に係る装置の第３の実施形態が示されている。参照符号２０１によって全体が示されたこの装置は、リバーシブルハンドル１５が、摩擦車２１５ｂに結合している取っ手２１５ａ、及び、回転誘導部２０６の外側周面に噛み合っている遊び車２１５ｃを備えている歯車列に取って代わることを除いては、図１〜１４に示された装置と類似している。
【００３４】
使用する際、鍵がシリンダ錠に挿入された後に、握り部２１５ａが回転される。摩擦車２１５ｂ及び遊び車２１５ｃの相対的な寸法は、要求される機械的利点を調節するよう変更されることができる。図１〜１４に示された部品と同様の機能を有する他の部品は、２００番台の同様な参照数字によって示されている。図１５〜１７に示された形態のように、スロット２０８がシリンダ掛け金の鍵収容スロットと正確に整列される位置に、回転誘導部２０６を自動的に付勢する機構はない。しかしながら、図１５〜１７に示された形態に関して記述された手法に似た手法で回転誘導部２０６のくぼみと協働するばね荷重止め金２３０が設けられている。
【００３５】
次に、図２１及び２２を参照すると、本発明に係る装置の第４の実施形態が示されている。
参照符号３０１によって全体が示されたこの装置は、図１〜１４に示された装置と概ね同様で、同様の機能を持っている部品は３００番台の同様な参照数字によって示されている。 
【００３６】
この装置は、回転誘導部３０６が、それに軸回転可能に据え付けられて、作用しないぶら下がり位置（図２１）から、作用する水平位置（図２２の鎖線で示された）へ軸回転可能なフレーム３１５ａを備えている点で、図１〜１４に示された装置と異なる。取っ手３１５ｂが、フレーム３１５ａに非回転で据え付けられた軸部３１５ｃの一端に取り付けられ、また、この軸部は二股の先端３１５ｄを有し、その側面は、フレーム３１５ａが作用位置にある時、シリンダ掛け金に配置された鍵３１０の頭部のどちらかの側面に位置する。
【００３７】
使用の際は、鍵３１０が、回転誘導部の凹面穴にあるスロットを通って挿入された後に、取っ手３１５ｂは、鍵３１０の頭部３２３が軸部３１５ｃの二股の先端３１５ｄの両側面間に置かれるまで上向きに回される。続いて、回転誘導部３０６及び鍵３１０が回転して錠を開けるように、取っ手３１５ｂが回転される。
【００３８】
取っ手３１５ｂが手放されたとき、取っ手３１５ｂは図２１に示された位置に下向きに回る。取っ手３１５ｂの振り子効果は、シリンダ掛け金の鍵収容スロットと整列された垂直な位置にスロット３０８が戻るのを確実にする助けをする。
【００３９】
図２３を参照すると、参照符号４０１によって全体の示された装置が図示されている。この装置４０１は、事務所や家具、例えば、戸棚の扉、机の引出し、又は、整理された飾り棚の錠に主として使用することになっている。このような錠は、扉、引出し、又は、その代わりの骨組みに取り付けられることができる。
【００４０】
この装置４０１は支持板４０２、軸受筒４０３、及び、回転誘導部４０６を備える。回転誘導部４０６は円筒部４０６ａを備え、その一端には取っ手４１５が設けられ、またその一部は、鍵４１０の軸部４０９を収容することになっているスロット４０８を備えた凹面穴４０７を有している。
【００４１】
円筒部４０６ａのもう一端は、円周に広がっている溝４３２を備えている。突起４３３が、図示されるように、円周に広がっている溝４３２の一部を横切って伸び、後述されるように取っ手４１５の回転運動を制限することに役に立つ。
【００４２】
例として、錠のある事務所の戸棚の扉に備えることが望まれると仮定してみる。
第一に、扉４３４を貫いて穴があけられる（図２４）。それから、その穴の中に軸受筒４０３が押し込められる。続いて、回転誘導部４０６の円筒部４０６ａが、円周に広がった溝４３２が軸受筒４０３の端の向こうに突き出るまで、軸受筒４０３内へすべり動かされる。次に、支持板４０２が、その一部が円周に広がった溝４３２に入るまで、扉４３４の裏面に沿ってすべり動かされる。
【００４３】
それから、錠４１６が、回転誘導部４０６の円筒部４０６ａ内にすべり動き可能に挿入され、そして、扉４３４に入る前に錠４１６のつば４３５と支持板４０２の貫通穴とを貫通するねじ４２１及び４２２によって、適所に固定される。
【００４４】
取っ手４１５は、この取っ手４１５が軸受筒４０３の左方へ水平に伸びてスロット４０８が垂直になる第１の位置から、取っ手４１５が軸受筒４０３の右方へ水平に延びてスロット４０８が再び垂直になる（しかし取っ手４１５がその第１の位置にあった時とは、方向が１８０度回転している）第２の位置（図示）まで、１８０度に渡って回転可能である。
【００４５】
取っ手４１５の回転は支持板４０２への突起４３３の係合によって制限される。支持板４０２が円周に広がった溝４３２内へ突出することはまた、取っ手４１５が外れることを防ぐのに役立っている。
【００４６】
一例を示すために、扉は施錠され、取っ手は図２３に示された位置にあると仮定してみる。
使用者はまず、鍵４１０を錠４１６に向かって進める。鍵４１０の胴部４０９は、錠４１６へ胴部の入りを容易にする凹面穴４０７に入る。
【００４７】
鍵４１０が一旦十分に挿入されたら、使用者は取っ手４１５を反時計回りに１８０度回転させることで、鍵を反時計回りに１８０度回転させ、錠４１６を開く。錠４１６は、スロットが閉位置から開位置に、及び開位置から閉位置に移動するときにスロットが１８０度動く、従来のオフィス家具の型に属する錠である、ということに言及されるべきである。
【００４８】
次に、図２８〜３０を参照すると、参照符号５０１によって全体の示された装置が図示されている。この装置５０１は、図１８〜２０に示された装置と概ね同様で、同様の機能を持っている部品は５００番台の同様な参照数字によって示されている。主な違いは、中間車２１５ｃが、取っ手５１５ａの回転運動を回転誘導部５０６に移す連接棒５３６に取って代わることである。留め具５３７が連接棒５３６に据え付けられ、それとの係合によって回転誘導部５３６の回転運動を制限する役目を果たす。
【００４９】
図３１〜３３は、使用の際に扉を貫通して穿設された穴内へと伸びる管状のスタブ６３８を備えている点で、以前に述べられた支持板とは異なる支持板６０６を示す。この管状のスタブ６３８は、装置が破壊者や夜間強盗に折り取られるのを防ぐ助けをする。この形態はまた、支持板６０６のねじ穴６４０でねじに噛み合い、使用する際に扉にあけた穴に達する、ねじ山の付いた保護留め具６３９を備えている。支持板６０６は、標準の「ＥＲＡ」シリンダ錠を支えるよう設計された形の開口６４２を備えている。
【００５０】
以上に述べた形態への様々な変更が考えられる。例えば、コイルスプリング２５は、ねじりばねに取って代えられることができる。くぼみは、使用する際に錠に挿入された鍵の側面に係合するスロットを備えてもよい。この手段では、回転誘導部に加わる回転力は、鍵の胴部よりむしろ頭部の側面に作用する。
【００５１】
図３４〜３６を参照すると、本発明に係る装置の第８の実施形態が示されている。
参照符号７０１によって全体が示されたこの装置は支持板７０２を備えており、この支持板７０２はその後方に延びる延長部７０２ａを備え、この延長部は、そこを彫り込み錠７１６用の鍵７１０（図３５）が通るのを可能にする実質的に一定な鍵穴断面の通路７０２ｂを備えている。
【００５２】
保持カバー７０３は、ねじ７０４及び７０５によって支持板７０２に固定される。
保持カバー７０３と支持板７０２との隙間は、回転誘導部７０６を収容する。
回転誘導部７０６は、回転誘導部７０６から前方に延び、また、通路７０２ｂへの、それゆえ彫り込み錠７１６への鍵７１０の挿入を容易にする先細穴７０７ｂを限定する、突出部７０７ａが備わっている。
【００５３】
取っ手７１５は、回転誘導部７０６に据え付けられ、回転誘導部７０６に対して回転されることができないが、それに対して第１の（引っ込んだ）位置（図３５）と第２の（延びた）位置（図３７）との間を軸方向に動かされることができる。
【００５４】
図３５〜３７に示された装置７０１を使用するために、使用者はまず扉の方へ取っ手７１５ａを優しく押し、カバー７０３のスロット７０３ａに取っ手７１５の舌部７１５ａが入るまで回転させる。この位置では、先細穴７０７ｂは直角に延び、彫り込み錠７１６の通路７０２ｂと鍵穴７１６ａに整列される。
【００５５】
鍵７１０が挿入されるにつれて、先細穴７０７ｂの側面は、鍵７１０の特有の順応を容易にする。十分に挿入されたとき、鍵７１０の頭部７２３は、取っ手７１５の領域の外に位置する（図３５）。
【００５６】
取っ手７１５はそれから第２の（延びた）位置へと外に引っ張られる（図３７）。この位置では、鍵７１０の頭部７２３は、取っ手７１５の領域の内にある。
取っ手７１５を回転させると、その結果として、（取っ手７１５に対して回転可能ではない）突出部７０７ａの回転と、彫り込み錠７１６を操作するための（鍵の頭部７２３との係合を経た）鍵７１０の回転が生ずる。
【００５７】
鍵７１０を取り去るために、取っ手７１５が扉の方へ十分に奥まで押されることができて、鍵７１０が彫り込み錠７１６から引き抜かれることができる位置にあるスロット７０３ａに、舌部７１５ａが整列されるまで、取っ手７１５は回転される。
【００５８】
次に、図３８を参照すると、参照符号８０１によって全体の示された装置が図示されている。
この装置８０１は、図３４に示された支持板７０２のような支持板８０２を備えており、この支持板はその後方に延びる延長部（示されていない）を備え、この延長部は、そこを彫り込み錠８１６用の鍵８１０が通るのを可能にする実質的に一定の鍵穴断面の通路８０２ｂを備えている。
【００５９】
保持カバー８０３は、２つのねじ（示されていない）によって支持板８０２に固定されることができる。
保持カバー８０３と支持板８０２の間の隙間は、スペーサー８３２、圧縮ばね８３３、及び、ばね板８３４を収容する。ばね板８３４の外径より大きい内径を有する圧縮ばねは、扉のフレーム８２０から離れる方向に取っ手８１５を付勢するように、支持板８０２と取っ手８１５の間で作用する。保持カバー８３０の内外へ軸方向に移動できる取っ手８１５は、スロット８０８を備える凹面穴８０７を備えられている。
【００６０】
使用する際に使用者は、スロット８０８へ鍵８１０が入るのを容易にする凹面穴８０７へ鍵を挿入する。
以下により詳細に説明するように、スロット８０８は通路８０２ｂに整列される。それゆえに、鍵８１０は彫り込み錠８１６へ通ることができる。十分に奥まで押し込むと、鍵８１０の頭部８２３の大部分はスロット８０８の中に位置する。取っ手８１５の回転は、代わる代わる彫り込み錠８１６のボルトを動かす鍵８１０の回転を引き起こす。典型的には、鍵８１０はある意味では彫り込み錠８１６のボルトを広げるために、正反対の意味ではボルトを収縮させるために、３６０度回転される。
【００６１】
鍵８１０を取り去るために、使用者は、フレーム８２０の方へ取っ手８１５を単純に押すことで、鍵８１０の頭部８２３が露呈してその引き出しが容易になる。
ばね板８３４は、取っ手８１５及び支持板８０２と相互に作用することで、鍵８１０を挿入し引き抜くためにスロット８０８及び通路８０２ｂの整列を容易にしている。詳細には、ばね板８３４は、支持板８０２へ向けて突き出す、ハブ８１５ａが延びる一般に直角の開口を規定する、２つの垂れ板８３４ａ及び８３４ｂを備えられている。ばね板８３４は、取っ手８１５が保持カバー８０３から引き抜かれるのを妨げる。しかしながら更に、ばね板８３４は、小さい突起８３４ｃを備えられ、フレーム８２０に面した保持カバー８０３の側面は、その中で保持カバー８０３に面した単一のへこみを有する円形のハブが備えられている。取っ手８１５が回転されるにつれて、突起８３４ｂは円形のハブにまたがる。突起８３４ｃが単一のへこみに入ると、これが感知されて、スロット８０８と通路８０２ｂが整列されていることを意味する指示機構として作用する。この指示構造は、垂れ板８３４ｂの高さとばね板８３４の構造に依存しており、取っ手８１５がフレーム８２０の方に内部へ押されたとき、ただ感知されることができる。
【００６２】
次に図３９を見ると、彫り込み錠の反対側に出入りできる人によって彫り込み錠の鍵が押し出されるのを保護する変形が示されている。この変形は腕８４０を備えており、これは、その動作位置にある時に、鍵８１０の頭部８２３と、従来の彫り込み鍵に備わったつば８４１との間に位置する。つば８４１は、鍵８１０の長手軸に対し垂直にすべり動くことができる板金８４２に据え付けられ、ばね８４３によって開位置へ向けて付勢されている。プランジャ８４５が１度押されることで、腕８４０をその閉位置に移動させて保持することができる。プランジャが２度押されると、ばね８４３によって腕８４０がその非動作位置へと動かされる。原理的には、この機構の動作は、引っ込められるボールペンに使われるものに類似している。
【００６３】
なお、この形態は、図３８に示された形態の指示構造を有していない。
【図面の簡単な説明】
【００６４】
【図１】鍵を受け入れる準備がある本発明に係る装置の第１の実施形態を示す正面図である。
【図２】鍵の側面図である。
【図３】鍵が挿入された通常のシリンダ錠を据え付けた図１に示された装置を示す部分断面側面図である。
【図４】図３に示された構成の部分断面底面図である。
【図５】図１に示された装置の一部を形成する支持板を示す正面図である。
【図６】図５のVI−VI線断面図である。
【図７】図５のVII−VII線断面図である。
【図８】図１に示された装置の一部を形成する回転誘導部を示す正面図である。
【図９】図８のIX−IX線断面図である。
【図１０】図８のＸ−Ｘ線断面図である。
【図１１】図１に示された装置の一部を形成するカバーを示す背面図である。
【図１２】図１１のXII−XII線断面図である。
【図１３】図１１のXIII−XIII線断面図である。
【図１４】図１に示された装置のカバー及び回転誘導部を示す背面図である。
【図１５】本発明に係る装置の第２の実施形態を示す正面図である。
【図１６】鍵が挿入された通常のシリンダ錠に据え付けられた、図１５に示された装置を示す部分断面側面図である。
【図１７】図１６に示された構成の部分断面底面図である。
【図１８】本発明に係る装置の第３の実施形態を示す正面図である。
【図１９】図１８に示された装置の底面図である。
【図２０】図１８に示された装置の部分断面側面図である。
【図２１】本発明に係る装置の第４の実施形態を示す正面図である。
【図２２】図２１に示された装置の側面図である。
【図２３】本発明に係る装置の第５の実施形態を示す分解斜視図である。
【図２４】錠に挿入された鍵を用いて図２３の装置を示す簡略断面図である。
【図２５】図２４のXXV−XXV線断面図である。
【図２６】図２４のXXVI−XXVI線断面図である。
【図２７】図２３に示された装置の正面図である。
【図２８】本発明に係る装置の第６の実施形態を示す正面図である。
【図２９】図２８のXXIX−XXIX線断面図である。
【図３０】図２８に示された装置の底面図である。
【図３１】本発明に係る装置の第７の実施形態の一部を示す平面図である。
【図３２】図３１のXXXII−XXXII線断面図である。
【図３３】図３１のXXXIII−XXXIII線断面図である。
【図３４】本発明に係る装置の第８の実施形態を示す分解図である。
【図３５】第１の位置にある鍵の柄及び挿入された鍵を有する扉に据え付けられた図３４に示された装置の縦断面図である。
【図３６】鍵が移動した図３５のXXXVI−XXXVI矢視断面図である。
【図３７】鍵の柄が第２の位置にある図３６のXXXVI−XXXVI線断面図である。
【図３８】本発明に係る装置の第９の実施形態を示す分解斜視図である。
【図３９】鍵が移動させられるのを禁止する変形を備えた図３８に示された装置の一部を示す図である。
【図１】
2005517845.tif 000003
【図２】
2005517845.tif 000004
【図３】
2005517845.tif 000005
【図４】
2005517845.tif 000006
【図５】
2005517845.tif 000007
【図６】
2005517845.tif 000008
【図７】
2005517845.tif 000009
【図８】
2005517845.tif 000010
【図９】
2005517845.tif 000011
【図１０】
2005517845.tif 000012
【図１１】
2005517845.tif 000013
【図１２】
2005517845.tif 000014
【図１３】
2005517845.tif 000015
【図１４】
2005517845.tif 000016
【図１５】
2005517845.tif 000017
【図１６】
2005517845.tif 000018
【図１７】
2005517845.tif 000019
【図１８】
2005517845.tif 000020
【図１９】
2005517845.tif 000021
【図２０】
2005517845.tif 000022
【図２１】
2005517845.tif 000023
【図２２】
2005517845.tif 000024
【図２３】
2005517845.tif 000025
【図２４】
2005517845.tif 000026
【図２５】
2005517845.tif 000027
【図２６】
2005517845.tif 000028
【図２７】
2005517845.tif 000029
【図２８】
2005517845.tif 000030
【図２９】
2005517845.tif 000031
【図３０】
2005517845.tif 000032
【図３１】
2005517845.tif 000033
【図３２】
2005517845.tif 000034
【図３３】
2005517845.tif 000035
【図３４】
2005517845.tif 000036
【図３５】
2005517845.tif 000037
【図３６】
2005517845.tif 000038
【図３７】
2005517845.tif 000039
【図３８】
2005517845.tif 000040
【図３９】
2005517845.tif 000041
【手続補正書】
【提出日】平成15年8月29日(2003.8.29)
【手続補正１】
【補正対象書類名】特許請求の範囲
【補正対象項目名】全文
【補正方法】変更
【補正の内容】
【特許請求の範囲】
【請求項１】
ａ）鍵の胴部を収容するため、及び、錠へ前記鍵が入るのを容易にするためのスロットを有する回転誘導部を備えた、錠への鍵の挿入を容易にする手段と、
ｂ）挿入された時に前記鍵を回転させる手段と、
ｃ）使用する際に、前記スロットが前記錠に整列されて前記錠の中への鍵の挿入を容易にする位置に前記スロットを戻すか、又は、前記スロットがそのような位置にあるときにそれを指示する手段と、
を備えたことを特徴とする扉又は引出し用解錠装置。
【請求項２】
前記回転誘導部は、前記スロットへ鍵の通過を容易にする凹面穴を備えたことを特徴とする請求項１記載の装置。
【請求項３】
前記手段（ｃ）は、前記回転誘導部を所定の位置に付勢する手段を備えたことを特徴とする請求項１又は２記載の装置。
【請求項４】
前記手段は、ばねを備えたことを特徴とする請求項３記載の装置。
【請求項５】
前記装置がシリンダ掛け金を経て扉に固定されることができるように、前記シリンダ掛け金の本体を通過させることは可能だがその頭部を通過させることは不可能な開口を有する支持板を更に備えたことを特徴とする請求項４記載の装置。
【請求項６】
前記支持板に取り外し可能に据え付けられたカバーを更に備え、前記回転誘導部は前記支持板と前記カバーの間に回転可能に据え付けられたことを特徴とする請求項５記載の装置。
【請求項７】
前記回転誘導部を回転させるための転置可能な取っ手を備えたことを特徴とする請求項１〜６のいずれかに記載の装置。
【請求項８】
前記取っ手は、鍵が錠に挿入された時に鍵の頭部の少なくとも一部を収容するくぼみを備えたことを特徴とする請求項７記載の装置。
【請求項９】
前記取っ手は、一つは前記回転誘導部の片側に、もう一つは前記回転誘導部の反対側に延びている２つの位置で前記回転誘導部に取り付けられることができる長尺部材を備えたことを特徴とする請求項７記載の装置。
【請求項１０】
前記取っ手は握り部を備えたことを特徴とする請求項７又は８記載の装置。
【請求項１１】
前記握り部は、それをつかむのを容易にするため曲がりくねった外面を備えたことを特徴とする請求項１０記載の装置。
【請求項１２】
前記取っ手は相互に作用する回転輪の列を経て前記回転誘導部に連結されることを特徴とする請求項７記載の装置。
【請求項１３】
前記手段（ｃ）は、前記スロットが前記錠と整列されるときに前記回転誘導部を指し示すために前記回転誘導部に作用する（又は反作用する）ばね荷重止め金を備えたことを特徴とする前記請求項のいずれかに記載の装置。
【請求項１４】
前記手段（ｃ）は、前記回転誘導部に軸回転可能に取り付けられたフレームを備え、該フレームは、その使用時に、垂れ下がった位置と、鍵と協働する持ち上げられた動作位置との間を軸回転可能であることにより、前記フレームが回転した時にそれと共に前記回転誘導部と前記鍵が回転するようにしたことを特徴とする請求項１記載の装置。
【請求項１５】
軸受筒と、前記軸受筒に回転可能に据え付け可能な円筒部を有する取っ手とを備えたことを特徴とする請求項１記載の装置。
【請求項１６】
前記円筒部及び前記取っ手は一体的に形成されたことを特徴とする請求項１５記載の装置。
【請求項１７】
前記円筒部は、その円周に広がる溝を備え、該溝は、使用する際に前記支持板の端を収容して前記取っ手が外れるのを禁止することを特徴とする請求項１５又は１６記載の装置。
【請求項１８】
前記溝内に突起が設けられ、該突起は、使用する際に、前記支持板と協働して前記取っ手の回転運動を制限することを特徴とする請求項１７記載の装置。
【請求項１９】
前記鍵を回転させる前記手段は取っ手を備え、該取っ手は、該取っ手の回転が前記回転誘導部を回転させるように前記回転誘導部に動作可能に結合され、前記回転誘導部に対して向かう方向と離れる方向に移動可能であることを特徴とする請求項１記載の装置。
【請求項２０】
前記回転誘導部は突出部を備え、該突出部は、前記回転誘導部から外側へ延び、前記取っ手を支え、使用する際に鍵の挿入を容易にする先細穴を規定することを特徴とする請求項１９記載の装置。
【請求項２１】
支持板を更に備えたことを特徴とする請求項１９又は２０記載の装置。
【請求項２２】
前記支持板は延長部を備え、該延長部は、前記支持板の後方に延び、また、彫り込み錠用の鍵の通過を可能にする実質的に一定な鍵穴断面の通路を備えていることを特徴とする請求項２１記載の装置。
【請求項２３】
保持カバーを更に備え、前記取っ手と前記保持カバーのうちの一方が舌部を備え、他方が溝を備えており、前記溝への前記舌部の整列が前記通路への前記先細穴の整列を確実にすることで鍵の挿入を容易にしたことを特徴とする請求項２２記載の装置。
【請求項２４】
支持板と、前記支持板から離れる方向へ取っ手を促すばねとを備えたことを特徴とする請求項１９記載の装置。
【請求項２５】
保持カバーを更に備え、前記取っ手は、前記保持カバーを通って突出し、かつそれに対して滑らせることができるハブを備え、前記装置は、前記ハブに据え付けられて前記ハブと前記保持カバーの分離を禁止するばね板を備えたことを特徴とする請求項２４記載の装置。
【請求項２６】
前記ばね板と前記保持カバーのうちの一方は直立部を有し、他方は少なくとも前記取っ手が前記保持カバー内へと促されたときに前記直立部に係合する面を備え、該面が刻み目を有することで、該刻み目への前記直立部の係合が前記取っ手を指し示すようにしたことを特徴とする請求項２５記載の装置。
【請求項２７】
錠からの鍵が外れるのを禁止する手段を備えたことを特徴とする請求項１９〜２６のいずれかに記載の装置。
【請求項２８】
前記手段は、鍵が自由に挿入又は引き抜き可能な非動作位置から、前記鍵の外れが禁止される動作位置へと移動可能な腕部と、該腕部をその動作位置と非動作位置との間で移動させる手段と、を備えたことを特徴とする請求項２７記載の装置。
【請求項２９】
動作的に関連したいずれかの前記請求項に記載された装置を有する錠が取り付けられた扉。
【請求項３０】
動作的に関連したいずれかの前記請求項に記載された装置を有する錠が取り付けられた引出し。
【国際調査報告】
2005517845.tif 000042
2005517845.tif 000043
2005517845.tif 000044